(57)【要約】  【課題】  非電動式のパチンコ遊技機であって、誘導装置と、入賞手段とを備えたシンプルな構成であって、且つ自由度の大きいパチンコ遊技機を提供する。  【解決手段】  盤面上に、遊技球を振り分ける誘導装置１０と、第２入賞手段９０ａ，９０ｂ，９０ｃを開かせるための第１入賞手段６０ａ，６０ｂ，６０ｃと、開口部を有する開閉式の第２入賞手段９０ａ，９０ｂ，９０ｃとを備える。  【選択図】図２
2006305239.tif 000002
【特許請求の範囲】
【請求項１】
盤面上に、遊技球を振り分ける誘導装置と、第２入賞手段を開かせるための第１入賞手段と、開口部を有する開閉式の第２入賞手段とを備えることを特徴とするパチンコ遊技機。
【請求項２】
開口部を有する開閉式の第２入賞手段は非電動式であることを特徴とする請求項１に記載のパチンコ遊技機。
【請求項３】
誘導装置は入賞手段へ遊技球を誘導する釘であることを特徴とする請求項１又は２に記載のパチンコ遊技機。
【請求項４】
開口部を有する開閉式の第２入賞手段を複数備えることを特徴とする請求項１乃至３のいずれか１項に記載のパチンコ遊技機。
【請求項５】
開口部を有する開閉式の第２入賞手段を開かせるための第１入賞手段を複数備えることを特徴とする請求項１乃至４のいずれか１項に記載のパチンコ遊技機。
【請求項６】
誘導装置を複数備えることを特徴とする請求項１乃至５のいずれか１項に記載のパチンコ遊技機。
【請求項７】
第２入賞手段を開かせるための第１入賞手段と開口部を有する開閉式の第２入賞手段とは予め関連付けられていて、特定の第１入賞手段に遊技球が入賞した場合には特定の第２入賞手段の開口部が開口することを特徴とする請求項１乃至６のいずれか１項に記載のパチンコ遊技機。
【請求項８】
開口部を有する開閉式の複数の第２入賞手段は互いに予め関連付けられていて、特定の第２入賞手段に遊技球が入賞した場合には他の特定の第２入賞手段の開口部が開口することを特徴とする請求項４乃至７のいずれか１項に記載のパチンコ遊技機。
【請求項９】
盤面上に、遊技球を振り分ける誘導装置と、該誘導装置よりも下方に位置する第２入賞手段を開かせるための第１入賞手段と、該第１入賞手段よりも下方に位置する開口部を有する開閉式の第２入賞手段とを備えることを特徴とするパチンコ遊技機。
【発明の詳細な説明】
【技術分野】
【０００１】
本発明は、パチンコ遊技機に関する。詳しくは、デジタル抽選等を行わない非電動式の複数の入賞手段を備えたパチンコ遊技機に関する。
【背景技術】
【０００２】
従来より、図柄表示装置を備え、入賞手段と連動してデジタル抽選を行うパチンコ遊技機においては、図柄表示装置を作動させるための入賞手段と、デジタル抽選によって、大当たりとなった場合に作動する入賞手段（大入賞口）とが設置されているものが知られている（特許文献１参照）。
【特許文献１】特開２００１−１１２９９１
【発明の開示】
【発明が解決しようとする課題】
【０００３】
しかしながら、上記パチンコ遊技機における入賞手段は複数設置されているものの、遊技者は大当たりとなるまでは図柄表示装置を作動させる入賞手段にのみ遊技球が入賞するように発射ハンドルを操作するのが通常であり、その他の入賞手段の重要度は低いものであった。
【０００４】
また、パチンコ遊技機の中には、誘導装置と入賞手段とを一体化しているものもあり、誘導装置は、入賞手段に遊技球を誘導するわけであるが、入賞しない場合もあるところに多様性があるのであり、誘導装置を通過した遊技球が入賞手段に必ず入るのでは、自由度が小さくなってしまう。
【０００５】
本発明は上記点に鑑み、図柄表示装置を使用しない非電動式のパチンコ遊技機であって、誘導装置と、入賞手段とを備えたシンプルな構成であって、且つ自由度の大きいパチンコ遊技機を提供することを目的とする。
【課題を解決するための手段】
【０００６】
請求項１の発明は、盤面上に、遊技球を振り分ける誘導装置と、第２入賞手段を開かせるための第１入賞手段と、開口部を有する開閉式の第２入賞手段とを備えることに特徴を有する。
【０００７】
請求項２の発明は、請求項１の発明において、開口部を有する開閉式の第２入賞手段は非電動式であることに特徴を有する。
【０００８】
請求項３の発明は、請求項１又は２の発明において、誘導装置は入賞手段へ遊技球を誘導する釘であることに特徴を有する。
【０００９】
請求項４の発明は、請求項１乃至３のいずれか１項の発明において、開口部を有する開閉式の第２入賞手段を複数備えることに特徴を有する。
【００１０】
請求項５の発明は、請求項１乃至４のいずれか１項の発明において、開口部を有する開閉式の第２入賞手段を開かせるための第１入賞手段を複数備えることに特徴を有する。
【００１１】
請求項６の発明は、請求項１乃至５のいずれか１項の発明において、誘導装置を複数備えることに特徴を有する。
【００１２】
請求項７の発明は、請求項１乃至６のいずれか１項の発明において、第２入賞手段を開かせるための第１入賞手段と開口部を有する開閉式の第２入賞手段とは予め関連付けられていて、特定の第１入賞手段に遊技球が入賞した場合には特定の第２入賞手段の開口部が開口することに特徴を有する。
【００１３】
請求項８の発明は、請求項４乃至７のいずれか１項の発明において、開口部を有する開閉式の複数の第２入賞手段は互いに予め関連付けられていて、特定の第２入賞手段に遊技球が入賞した場合には他の特定の第２入賞手段の開口部が開口することに特徴を有する。
【００１４】
請求項９の発明は、盤面上に、遊技球を振り分ける誘導装置と、該誘導装置よりも下方に位置する第２入賞手段を開かせるための第１入賞手段と、該第１入賞手段よりも下方に位置する開口部を有する開閉式の第２入賞手段とを備えることに特徴を有する。
【発明の効果】
【００１５】
請求項１の発明は、盤面上に、遊技球を振り分ける誘導装置と、第２入賞手段を開かせるための第１入賞手段と、開口部を有する開閉式の第２入賞手段とを備えることに特徴を有するので、盤面上をシンプルな構成であって、且つ自由度の大きいパチンコ遊技機である。
【００１６】
請求項２の発明は、請求項１の発明において、開口部を有する開閉式の第２入賞手段は非電動式であることに特徴を有するので、電気的な制御が不要であり、製造コストを下げることができる。
【００１７】
請求項３の発明は、請求項１又は２の発明において、誘導装置は入賞手段へ遊技球を誘導する釘であることに特徴を有するので、誘導装置に特別な成形品がいらないので、製造コストを下げることができる。
【００１８】
請求項４の発明は、請求項１乃至３のいずれか１項の発明において、開口部を有する開閉式の第２入賞手段を複数備えることに特徴を有するので、盤面上の見栄えが良くなると共に、払い出しの数量を増やすことができる。
【００１９】
請求項５の発明は、請求項１乃至４のいずれか１項の発明において、開口部を有する開閉式の第２入賞手段を開かせるための第１入賞手段を複数備えることに特徴を有するので、請求項４の発明と同様にして、盤面上の見栄えが良くなると共に、払い出しの数量を増やすことができる。
【００２０】
請求項６の発明は、請求項１乃至５のいずれか１項の発明において、誘導装置を複数備えることに特徴を有するので、盤面上の複数の遊技球の落下速度を遅らせることができ、盤面上に複数の遊技球を転動させることができる。
【００２１】
請求項７の発明は、請求項１乃至６のいずれか１項の発明において、第２入賞手段を開かせるための第１入賞手段と開口部を有する開閉式の第２入賞手段とは予め関連付けられていて、特定の第１入賞手段に遊技球が入賞した場合には特定の第２入賞手段の開口部が開口することに特徴を有するので、遊技者は予め遊技球を投入する盤面上の位置を予測し、狙いを定めることができる。
【００２２】
請求項８の発明は、請求項４乃至７のいずれか１項の発明において、開口部を有する開閉式の複数の第２入賞手段は互いに予め関連付けられていて、特定の第２入賞手段に遊技球が入賞した場合には他の特定の第２入賞手段の開口部が開口することに特徴を有するので、単発的に第２入賞手段が開口する場合に比べて演出の多様化を図ることができる。
【００２３】
請求項９の発明は、盤面上に、遊技球を振り分ける誘導装置と、該誘導装置よりも下方に位置する第２入賞手段を開かせるための第１入賞手段と、該第１入賞手段よりも下方に位置する開口部を有する開閉式の第２入賞手段とを備えることに特徴を有するので、遊技球の自重等によって簡単な連動機構を作ることができ、シンプルな構成とすることができる。
【発明を実施するための最良の形態】
【００２４】
次に本発明の実施形態を図面を用いて説明する。図１は本発明に係るパチンコ遊技機の全体を示す正面図である。この図を用いてパチンコ遊技機の概略を説明する。
【００２５】
まず、パチンコ遊技機１には、内枠２が開閉可能に備えられており、その内枠２には、金枠３が開閉可能に取り付けられており、さらに金枠３には、ガラス枠４が開閉可能に取り付けられている。ガラス枠４の裏面側には、遊技盤５が配置されており、この遊技盤５の左方には、発射された遊技球を案内するガイドレール６が設けられている。内枠２の右側には、ガラス枠４開閉用の鍵を差し込む鍵穴７を備えた鍵穴飾り８が設けられており、内枠２の上方には、枠ランプ９が設けられている。
【００２６】
ガラス枠４の下には、前面板１１が設けられており、この前面板１１の左側上部には、遊技球が排出される上皿遊技球排出口１２が形成されており、この上皿遊技球排出口１２の排出側には、その上皿遊技球排出口１２から排出された遊技球を溜めておくための上皿１３が取り付けられている。上皿１３の下方には、その上皿１３で収容しきれなくなった遊技球を排出するための下皿遊技球排出口１４が形成されており、この下皿遊技球排出口１４の排出側には、その下皿遊技球排出口１４から排出された遊技球を溜めておくための下皿１５が設けられている。
【００２７】
下皿１５の右方には、上皿１３から供給された遊技球を遊技盤５へ発射する発射モータ（図示せず）を操作するための発射ハンドル１６が、回転可能に取り付けられており、その発射ハンドル１６には、発射途中で発射を停止するための発射停止ボタン１７が設けられている。
【００２８】
また、上皿１３の右方には、上皿１３に溜められた遊技球を下皿１５へ抜くための上皿球抜きレバー１８がスライド可能に取り付けられている。
【００２９】
さらに、内枠２の左側にはプリペイドカードを挿入するスリット１９ａを有するカードリーダーユニット１９が設けられている。
【００３０】
図２は本発明の第１の実施形態を示す正面図である。この図に示すように、遊技盤５上にはゲージと呼ばれる多数の釘２０・・が設置されている。この多数の釘２０・・は、遊技球を普通入賞手段や第１入賞手段及び第２入賞手段に誘導する機能を奏するものでもある。また、風車３０ａ，３０ｂ，３０ｃ，３０ｄ，３０ｅ，３０ｆも６箇所に設置されている。
【００３１】
そして、誘導装置１０が遊技盤５の上部中央に設置されている。この誘導装置１０はプラスチック等で一体的に成形されたものであり、誘導装置１０に入り込んだ遊技球を第１入賞手段や他の方向に振り分ける機能を奏するものである。
【００３２】
さらに、誘導装置１０の下方には複数の第１入賞手段６０ａ，６０ｂ，６０ｃ，７０ａ，７０ｂと、複数の第２入賞手段８０ａ，８０ｂ，８０ｃ，９０ａ，９０ｂ，９０ｃとが設置されているのである。また、ここでは第２入賞手段に２種類のものが使用されている。一つはチューリップ形状の入賞手段８０ａ，８０ｂ，８０ｃであり、第１入賞手段に遊技球が入賞するまでは羽根が閉じて開口部を塞ぎ、遊技球が入賞できないようになっている。このチューリップ形状の入賞手段８０ａ，８０ｂ，８０ｃは機械式に開閉が行われるものであり、回転モーター等の電動手段を使用していないものである。もう一つはアタッカー形状の入賞手段９０ａ，９０ｂ，９０ｃであり、第１入賞手段６０ａ，６０ｂ，６０ｃに遊技球が入賞するまでは扉が閉じて開口部を塞ぎ、遊技球が入賞できないようになっている。このアタッカー形状の入賞手段９０ａ，９０ｂ，９０ｃも機械式に開閉が行われるものであり、回転モーター等の電動手段を使用していないものである。
【００３３】
尚、上述の第２入賞手段に使用するチューリップ形状の入賞手段８０ａ，８０ｂ，８０ｃは第１入賞手段７０ａ，７０ｂに遊技球が入賞して、羽根が開状態となった時に開口部が開き遊技球が入賞できるものであるが、チューリップ形状の入賞手段として、常に左右の羽根の間に開口部が開いており、第１入賞手段に遊技球が入賞しない場合でも遊技球が入賞できるものもある。この場合のチューリップ形状の入賞手段は、第１入賞手段に遊技球が入賞した場合には、羽根が大きく開いて、遊技球が開口部に入りやすくなるものであるので、特許請求の範囲における第２入賞手段には、このチューリップ形状の入賞手段も含まれるものである。同様にして、アタッカー形状の入賞手段として、常に開口部が開いており、第１入賞手段に遊技球が入賞しない場合でも遊技球が入賞できるものもある。この場合のアタッカー形状の入賞手段は、第１入賞手段に遊技球が入賞した場合には、扉が大きく開いて、遊技球が開口部に入りやすくなるものであるので、特許請求の範囲における第２入賞手段には、このアタッカー形状の入賞手段も含まれるものである。
【００３４】
図３は本発明の第２の実施形態を示す正面図である。この第２の実施形態が第１の実施形態と大きく異なる点は、誘導装置１０がない点である。誘導装置１０があると、盤面上の複数の遊技球の落下速度を遅らせることができ、遊技球の落下パターンの多様化を図ることができるが、これに代わって複数のゲージ釘２０，２０，２０・・を設置することによって第１入賞手段である６０ａ，６０ｂ，６０ｃに入賞することができるようにされている。つまり、複数のゲージ釘２０，２０，２０・・が誘導装置となっているのである。
【００３５】
図４〜図６は第１入賞手段と第２入賞手段との連動機構の一例を示す説明図である。図４に示すように、第１入賞手段６０ｃに入賞した遊技球は盤面裏に形成された玉通路を通り、レバーＡを押し下げることによって、第２入賞手段である中央のアタッカー９０ｂを開かせるのである。また、遊技球の自重によって第２入賞手段であるアタッカー９０ｃを開かせるのである。同様にして、図５に示すように、第１入賞手段６０ａに入賞した遊技球は盤面裏に形成された玉通路を通り、レバーＢを押し下げることによって、第２入賞手段である中央のアタッカー９０ｂを開かせるのである。また、遊技球の自重によって第２入賞手段であるアタッカー９０ａを開かせるのである。さらに、図６に示すように、第１入賞手段６０ｂに入賞した遊技球は盤面裏に形成された玉通路を通り、レバーＣ及びＤを押し下げることによって、第２入賞手段である左右のアタッカー９０ａ及び９０ｃを開かせるのである。また、遊技球の自重によって第２入賞手段である中央のアタッカー９０ｂを開かせるのである。
【００３６】
尚、本発明の趣旨を逸脱しない範囲において、種々の実施形態をとることができることは言うまでもない。例えば、上記第１の実施形態では遊技盤５に誘導装置１０が１個設置されているのみであるが、これに限定されるものではなく、複数の誘導装置１０，１０を設置することもできるものである。また、上記第１の実施形態及び第２の実施形態では第２入賞手段は、第１入賞手段に遊技球が入賞することによって開口部が開口することとしているが、これに限定されるものではなく、複数の第２入賞手段が互いに予め関連付けられていて、特定の第２入賞手段に遊技球が入賞した場合には他の特定の第２入賞手段の開口部が開口するようにしてもよいものである。
【図面の簡単な説明】
【００３７】
【図１】パチンコ遊技機の全体を示す正面図である。
【図２】本発明の第１の実施形態を示す正面図である。
【図３】本発明の第２の実施形態を示す正面図である。
【図４】第１入賞手段と第２入賞手段との連動機構を説明する説明図である。
【図５】第１入賞手段と第２入賞手段との連動機構を説明する説明図である。
【図６】第１入賞手段と第２入賞手段との連動機構を説明する説明図である。
【符号の説明】
【００３８】
１  パチンコ遊技機
５  遊技盤
１３  上皿
２０  釘
【図１】
2006305239.tif 000003
【図２】
2006305239.tif 000004
【図３】
2006305239.tif 000005
【図４】
2006305239.tif 000006
【図５】
2006305239.tif 000007
【図６】
2006305239.tif 000008
【手続補正書】
【提出日】平成17年5月13日(2005.5.13)
【手続補正１】
【補正対象書類名】図面
【補正対象項目名】図２
【補正方法】変更
【補正の内容】
【図２】
2006305239.tif 000009
【手続補正２】
【補正対象書類名】図面
【補正対象項目名】図３
【補正方法】変更
【補正の内容】
【図３】
2006305239.tif 000010
【手続補正３】
【補正対象書類名】図面
【補正対象項目名】図４
【補正方法】変更
【補正の内容】
【図４】
2006305239.tif 000011
【手続補正４】
【補正対象書類名】図面
【補正対象項目名】図５
【補正方法】変更
【補正の内容】
【図５】
2006305239.tif 000012
【手続補正５】
【補正対象書類名】図面
【補正対象項目名】図６
【補正方法】変更
【補正の内容】
【図６】
2006305239.tif 000013